(57)【要約】【課題】強い電場を生じさせる布を提供する。【解決手段】布は、複数の電荷発生繊維を備える。複数の電荷発生繊維は、外部からのエネルギーにより電荷を発生する。そして、複数の電荷発生繊維は、電気的特性に偏りがあることを特徴とする。【選択図】図１
2020073747.tif 000002
【特許請求の範囲】
【請求項１】
複数の圧電繊維を備え、
前記複数の圧電繊維の圧電効果による発生電位が糸の中心に対して回転対称とならないことを特徴とする、糸。
【請求項２】
前記複数の圧電繊維のうち少なくとも１つの圧電繊維は、隣り合う圧電繊維間の電気的特性に偏りがあることを特徴とする、請求項１に記載の糸。
【請求項３】
前記複数の圧電繊維のうち少なくとも１つの圧電繊維は、他の圧電繊維と圧電定数が異なることを特徴とする、請求項１又は請求項２に記載の糸。
【請求項４】
非圧電性の繊維を備えることを特徴とする、請求項１乃至請求項３の何れかに記載の糸。
【請求項５】
前記複数の圧電繊維のうち少なくとも１つの圧電繊維は、他の圧電繊維と圧電テンソルが異なることを特徴とする、請求項１乃至請求項４の何れかに記載の糸。
【請求項６】
請求項１乃至請求項５の何れかに記載の糸を複数備えることを特徴とする、布。
【発明の詳細な説明】
【技術分野】
【０００１】
本発明は、糸および布に関する。
【背景技術】
【０００２】
従来から、抗菌性を有する繊維材料については、多数の提案がなされている（特許文献１乃至特許文献７を参照）。
【先行技術文献】
【特許文献】
【０００３】
【特許文献１】特許第３２８１６４０号公報
【特許文献２】特開平７−３１０２８４号公報
【特許文献３】特許第３１６５９９２号公報
【特許文献４】特許第１８０５８５３号公報
【特許文献５】特開平８−２２６０７８号公報
【特許文献６】特開平９−１９４３０４号公報
【特許文献７】特開２００４−３００６５０号公報
【発明の概要】
【発明が解決しようとする課題】
【０００４】
この発明は、強い電場を生じさせる布および糸を提供することを目的とする。
【課題を解決するための手段】
【０００５】
本発明の糸は、複数の圧電繊維を備え、
複数の圧電繊維の圧電効果による発生電位が糸の中心に対して回転対称とならないことを特徴とする。
【発明の効果】
【０００６】
この発明によれば、強い電場を生じさせる布及び糸を実現することができる。
【図面の簡単な説明】
【０００７】
【図１】図１（Ａ）は、抗菌糸１の構成を示す図であり、図１（Ｂ）は、図１（Ａ）のＡ−Ａ線における断面図であり、図１（Ｃ）は、図１（Ａ）のＢ−Ｂ線における断面図である。
【図２】図２（Ａ）および図２（Ｂ）は、ポリ乳酸の一軸延伸方向と、電場方向と、圧電繊維１０の変形と、の関係を示す図である。
【図３】図３（Ａ）は、抗菌糸２の構成を示す図であり、図３（Ｂ）は、図３（Ａ）のＡ−Ａ線における断面図であり、図３（Ｃ）は、図３（Ａ）のＢ−Ｂ線における断面図である。
【図４】図４（Ａ）は、抗菌糸１および抗菌糸２における、電位を示す図であり、図４（Ｂ）は、比較例として、抗菌糸１および抗菌糸２における複数の圧電繊維１０の間の空間の状態が一様である場合（比較例）における、電位を示す図である。
【図５】図５（Ａ）は、電場を示す図であり、図５（Ｂ）は、比較例として、抗菌糸１および抗菌糸２における複数の圧電繊維１０の間の空間の状態が一様である場合（比較例）における、電場を示す図である。
【図６】図６（Ａ）は、変形例１に係る抗菌糸２Ａの構成を示す一部分解図であり、図６（Ｂ）は、図６（Ａ）のＡ−Ａ線における断面図であり、図６（Ｃ）は、図６（Ａ）のＢ−Ｂ線における断面図である。
【図７】図７（Ａ）は、変形例２に係る抗菌糸２Ｂの構成を示す一部分解図であり、図７（Ｂ）は、図７（Ａ）のＡ−Ａ線における断面図であり、図７（Ｃ）は、図７（Ａ）のＢ−Ｂ線における断面図である。
【発明を実施するための形態】
【０００８】
図１（Ａ）は、圧電繊維１０を撚り合わせてなる抗菌糸１の構成を示す一部分解図であり、図１（Ｂ）は、図１（Ａ）のＡ−Ａ線における断面図である。図１（Ｃ）は、図１（Ａ）のＢ−Ｂ線における断面図である。
【０００９】
圧電繊維１０は、外部からのエネルギーにより電荷を発生する電荷発生繊維の一例である。
【００１０】
圧電繊維１０は、例えば圧電性ポリマーからなる。圧電性ポリマーは、焦電性を有するものと、焦電性を有していないものと、がある。例えば、ＰＶＤＦ（ポリフッ化ビニリデン）は、焦電性を有しており、温度変化によっても電荷が発生する。ＰＶＤＦ等の焦電性を有する圧電体は、人体の熱エネルギーによっても、表面に電荷が生じる。
【００１１】
また、ポリ乳酸（ＰＬＡ）は、焦電性を有していない圧電性ポリマーである。ポリ乳酸は、一軸延伸されることで圧電性が生じる。ポリ乳酸には、Ｌ体モノマーが重合したＰＬＬＡと、Ｄ体モノマーが重合したＰＤＬＡと、がある。
【００１２】
ポリ乳酸は、キラル高分子であり、主鎖が螺旋構造を有する。ポリ乳酸は、一軸延伸されて分子が配向すると、圧電性を発現する。さらに熱処理を加えて結晶化度を高めると圧電定数が高くなる。一軸延伸されたポリ乳酸からなる圧電繊維１０は、厚み方向を第１軸、延伸方向９００を第３軸、第１軸および第３軸の両方に直交する方向を第２軸と定義したとき、圧電歪み定数としてｄ１４およびｄ２５のテンソル成分を有する。したがって、ポリ乳酸は、一軸延伸された方向に対して４５度の方向に歪みが生じた場合に、最も効率よく電荷を発生する。
【００１３】
図２（Ａ）および図２（Ｂ）は、ポリ乳酸の一軸延伸方向と、電場方向と、圧電繊維１０の変形と、の関係を示す図である。図２（Ａ）に示すように、圧電繊維１０は、第１対角線９１０Ａの方向に縮み、第１対角線９１０Ａに直交する第２対角線９１０Ｂの方向に伸びると、紙面の裏側から表側に向く方向に電場を生じる。すなわち、圧電繊維１０は、紙面表側では、負の電荷が発生する。圧電繊維１０は、図２（Ｂ）に示すように、第１対角線９１０Ａの方向に伸び、第２対角線９１０Ｂの方向に縮む場合も、電荷を発生するが、極性が逆になり、紙面の表面から裏側に向く方向に電場を生じる。すなわち、圧電繊維１０は、紙面表側では、正の電荷が発生する。
【００１４】
ポリ乳酸は、延伸による分子の配向処理で圧電性が生じるため、ＰＶＤＦ等の他の圧電性ポリマーまたは圧電セラミックスのように、ポーリング処理を行う必要がない。一軸延伸されたポリ乳酸の圧電定数は、５〜３０ｐＣ／Ｎ程度であり、高分子の中では非常に高い圧電定数を有する。さらに、ポリ乳酸の圧電定数は経時的に変動することがなく、極めて安定している。
【００１５】
圧電繊維１０は、断面が円形状の繊維である。圧電繊維１０は、例えば、圧電性高分子を押し出し成型して繊維化する手法、圧電性高分子を溶融紡糸して繊維化する手法（例えば、紡糸工程と延伸工程を分けて行う紡糸・延伸法、紡糸工程と延伸工程を連結した直延伸法、仮撚り工程も同時に行うことのできるPOY-DTY法、または高速化を図った超高速紡糸法などを含む）、圧電性高分子を乾式あるいは湿式紡糸（例えば、溶媒に原料となるポリマーを溶解してノズルから押し出して繊維化するような相分離法もしくは乾湿紡糸法、溶媒を含んだままゲル状に均一に繊維化するようなゲル紡糸法、または液晶溶液もしくは融体を用いて繊維化する液晶紡糸法、などを含む）により繊維化する手法、または圧電性高分子を静電紡糸により繊維化する手法等により製造される。なお、圧電繊維１０の断面形状は、円形に限るものではない。
【００１６】
抗菌糸１は、このような、ＰＬＬＡの圧電繊維１０を複数撚ってなる糸（マルチフィラメント糸）を構成する。抗菌糸１は、圧電繊維１０を左旋回して撚られた左旋回糸（以下、Ｓ糸と称する。）である。各圧電繊維１０の延伸方向９００は、それぞれの圧電繊維１０の軸方向に一致している。したがって、圧電繊維１０の延伸方向９００は、抗菌糸１の軸方向に対して、左に傾いた状態となる。その角度は撚り回数に依存する。
【００１７】
この様なＳ糸の抗菌糸１に張力をかけた場合、抗菌糸１の表面には負の電荷が発生し、内側には正の電荷が発生する。
【００１８】
抗菌糸１は、この電荷により生じる電位差によって電場を生じる。この電場は近傍の空間にも漏れて他の部分と結合電場を形成する。また、抗菌糸１に生じる電位は、近接する所定の電位、例えば人体等の所定の電位（グランド電位を含む。）を有する物に近接した場合に、抗菌糸１と該物との間に電場を生じさせる。
【００１９】
従来から、電場により細菌および真菌の増殖を抑制することができる旨が知られている（例えば、土戸哲明，高麗寛紀，松岡英明，小泉淳一著、講談社：微生物制御−科学と工学を参照。また、例えば、高木浩一，高電圧・プラズマ技術の農業・食品分野への応用，J.HTSJ，Vol.51，No.216を参照）。また、この電場を生じさせている電位により、湿気等で形成された電流経路、または局部的なミクロな放電現象等で形成された回路を電流が流れることがある。この電流により菌が弱体化し菌の増殖を抑制することが考えられる。なお、本実施形態で言う菌とは、細菌、真菌またはダニやノミ等の微生物を含む。
【００２０】
したがって、抗菌糸１は、抗菌糸１の近傍に形成される電場によって、あるいは人体等の所定の電位を有する物に近接した場合に発生する電場によって、直接的に抗菌効果を発揮する。あるいは、抗菌糸１は、汗等の水分を介して、近接する他の繊維または人体等の所定の電位を有する物に近接した場合に電流を流す。この電流によっても、直接的に抗菌効果を発揮する場合がある。あるいは、電流または電圧の作用により水分に含まれる酸素が変化した活性酸素種、さらに繊維中に含まれる添加材との相互作用または触媒作用によって生じたラジカル種、またはその他の抗菌性化学種（アミン誘導体等）によって間接的に抗菌効果を発揮する場合がある。あるいは、電場または電流の存在によるストレス環境により菌の細胞内に酸素ラジカルが生成される場合がある、これにより抗菌糸１が、間接的に抗菌効果を発揮する場合がある。ラジカルとしては、スーパーオキシドアニオンラジカル（活性酸素）またはヒドロキシラジカルの発生が考えられる。なお、本実施形態で言う「抗菌」とは、菌の発生を抑制する効果、また菌を死滅する効果の両方を含む概念である。
【００２１】
以上の様な、抗菌糸１は、各種の衣料、または医療部材等の製品に適用可能である。例えば、抗菌糸１は、肌着（特に靴下）、タオル、靴およびブーツ等の中敷き、スポーツウェア全般、帽子、寝具（布団、マットレス、シーツ、枕、枕カバー等を含む。）、歯ブラシ、フロス、各種フィルタ類（浄水器、エアコンまたは空気清浄器のフィルタ等）、ぬいぐるみ、ペット関連商品（ペット用マット、ペット用服、ペット用服のインナー）、各種マット品（足、手、または便座等）、カーテン、台所用品（スポンジまたは布巾等）、シート（車、電車または飛行機等のシート）、オートバイ用ヘルメットの緩衝材およびその外装材、ソファ、包帯、ガーゼ、マスク、縫合糸、医者および患者の服、サポーター、サニタリ用品、スポーツ用品（ウェアおよびグローブのインナー、または武道で使用する籠手等）、あるいは包装資材等に適用することができる。
【００２２】
衣料のうち、特に靴下（またはサポータ）は、歩行等の動きによって、関節に沿って必ず伸縮が生じるため、抗菌糸１は、高頻度で電荷を発生する。また、靴下は、汗などの水分を吸い取り、菌の増殖の温床となるが、抗菌糸１は、菌の増殖を抑制することができるため、防臭のための菌対策用途として、顕著な効果を生じる。
【００２３】
また、抗菌糸は、人間を除いた動物の体表面の菌抑制方法としても使用可能であり、動物の皮膚の少なくとも一部に、圧電体を含んだ布を対向させるように配置し、前記圧電体に外力が加えられた時に発生する電荷によって、前記布と対向する前記動物の体表面の菌の増殖を抑制してもよい。これにより、簡素な方法で、薬剤等の使用よりも安全性の高い、動物の体表面の菌の増殖を抑制し、および動物の体表面の白癬菌治療することができる。
【００２４】
なお、ＷＯ２０１５／１５９８３２には、複数の圧電糸と導電糸とを用いて編物または織物にし、これに変位が加わった事をセンシングするトランスデューサが開示されている。この場合、導電糸は、すべて検知回路に接続されており、一本の圧電糸に対して必ず対の導電糸が存在する。ＷＯ２０１５／１５９８３２では、圧電糸に電荷が発生した時、導電糸を電子が移動し、圧電糸に発生した電荷を即座に中和する。ＷＯ２０１５／１５９８３２では、この電子の移動による電流を検知回路が捉えて信号として出力する。従ってこの場合、発生した電位は即座にキャンセルされるので、圧電糸と導電糸との間、および圧電糸と圧電糸との間に強い電場が形成される事がなく、抗菌効果は発揮されない。
【００２５】
次に、図３（Ａ）は、圧電繊維１０を右旋回して撚られた右旋回糸（以下、Ｚ糸と称する。）を構成する、抗菌糸２の構成を示す一部分解図である。図３（Ｂ）は、図３（Ａ）のＡ−Ａ線における断面図である。図３（Ｃ）は、図３（Ａ）のＢ−Ｂ線における断面図である。
【００２６】
抗菌糸２は、Ｚ糸であるため、圧電繊維１０の延伸方向９００は、抗菌糸２の軸方向に対して、右に傾いた状態となる。その角度は糸の撚り回数に依存する。
【００２７】
この様なＺ糸の抗菌糸２に張力をかけた場合、抗菌糸２の表面には正の電荷が発生し、内側には負の電荷が発生する。
【００２８】
抗菌糸２も、この電荷により生じる電位差によって電場を生じる。この電場は近傍の空間にも漏れて他の部分と結合電場を形成する。また、抗菌糸２に生じる電位は、近接する所定の電位、例えば人体等の所定の電位（グランド電位を含む。）を有する物に近接した場合に、抗菌糸２と該物との間に電場を生じさせる。
【００２９】
さらに、Ｓ糸である抗菌糸１とＺ糸である抗菌糸２とを近接させた抗菌糸では、抗菌糸１と抗菌糸２との間に電場を生じさせることもできる。
【００３０】
抗菌糸１と抗菌糸維２とで生じる電荷の極性は互いに異なる。各所の電位差は、繊維同士が複雑に絡み合うことにより形成される電場結合回路、または水分等で糸の中に偶発的に形成される電流パスで形成される回路により定義される。
【００３１】
図４（Ａ）は、抗菌糸１および抗菌糸２における、電位を示す図である。また、図５（Ａ）は、電場を示す図である。図４（Ｂ）は、比較例として、抗菌糸１および抗菌糸２における複数の圧電繊維１０の発生電位が撚糸の中心に対して回転対称である場合（比較例）における、電位を示す図である。図５（Ｂ）は、比較例として、抗菌糸１および抗菌糸２における複数の圧電繊維１０の発生電位が撚糸の中心に対して回転対称である場合（比較例）における、電場を示す図である。なお、本実施形態では、一例として７本の圧電繊維１０が撚られてなる抗菌糸を示しているが、撚り数は、実際には用途等を鑑みて、適宜設定される。
【００３２】
抗菌糸１（Ｓ糸）および抗菌糸２（Ｚ糸）がＰＬＬＡで形成された場合、抗菌糸１単独では、張力が加わった時に表面が負の電位になり内部は正の電位になる。抗菌糸２単独では、張力が加わった時に表面が正の電位になり内部は負の電位になる。
【００３３】
これら抗菌糸１および抗菌糸２が近接した場合、近接する部分（表面）は同電位になろうとする。この場合、抗菌糸１と抗菌糸２との近接部は０Ｖとなり、元々の電位差を保つように、抗菌糸１の内部の正の電位はさらに高くなる。同様に抗菌糸２の内部の負の電位はさらに低くなる。
【００３４】
抗菌糸１の断面では、主に中心から外に向かう電場が形成され、抗菌糸２の断面では主に中心から内に向かう電場が形成される。抗菌糸１および抗菌糸２を近接させた場合、これらの電場が空気中に漏れ出て結合し、抗菌糸１および抗菌糸２の間で電場回路が形成される。
【００３５】
ここで、図４（Ｂ）に示す比較例のように、仮に抗菌糸１および抗菌糸２における複数の圧電繊維１０の間の空間の状態が一様である場合、電位分布には偏りがなく、抗菌糸１の中心で最も電位が高く、抗菌糸２の中心で最も電位が低くなる。したがって、図５（Ｂ）に示す比較例のように、抗菌糸１および抗菌糸２の間で形成される電場は、抗菌糸１および抗菌糸２が近接する空間において最大となり、他の箇所の空間で形成される電場は、それほど大きくはない。
【００３６】
これに対して、本実施形態における抗菌糸は、複数の圧電繊維１０の電荷発生パターンが撚糸の中心に対して回転対称ではない。例えば、図１（Ｂ）および図１（Ｃ）に示すように、抗菌糸１は、ある断面を見た場合と、別のある断面を見た場合とで、複数の圧電繊維１０の配置態様が異なる。また、図３（Ｂ）および図３（Ｃ）に示すように、抗菌糸２も、ある断面を見た場合と、別のある断面を見た場合とで、複数の圧電繊維１０の配置態様が異なる。さらにこれらいずれの断面においても、圧電繊維１０に加わるずり応力方向が、糸の中心に対して回転対称ではなく、その強度もまちまちとなる。このような圧電繊維１０の圧電効果による発生電位の非回転対称性は、以下のような様々な原因を積極的に加えることにより引き起こされる。圧電繊維１０の直径が異なっている時、圧電繊維１０の形状が異なっている時、圧電繊維１０同士の距離が異なっている時、複数ある圧電繊維１０のうち少なくとも１つの圧電定数が異なっている時（この場合、全く圧電定数を持たない非圧電繊維が含まれていてもよい。さらに圧電テンソルが異なる繊維が含まれていてもよい。）、または撚り回数に乱れがある時等である。あるいは、これらの状態が複合して生じている時等である。
【００３７】
この構成により、本実施形態の抗菌糸は、図４（Ａ）に示すように、電位分布に偏りが生じ、対称性が崩されるため、図５（Ａ）に示すように、局所的に強い電場（比較例よりも強い電場）が形成されることになる。例えば、図５（Ｂ）に示す例では、最大でも７ＭＶ／ｍの電場であるが、図５（Ａ）に示す抗菌糸は、最大で１５ＭＶ／ｍの電場が生じている。したがって、本実施形態の抗菌糸は、複数の圧電繊維１０が一様に配置された場合よりも、強い電場を生じさせることができる。
【００３８】
なお、複数の圧電繊維１０の圧電効果による発生電位が糸の中心に対して回転対称とならない場合の一例をより具体的に述べると以下のようになる。
【００３９】
図６（Ａ）は、変形例１に係る抗菌糸２Ａの構成を示す一部分解図であり、図６（Ｂ）は、図６（Ａ）のＡ−Ａ線における断面図である。図６（Ｃ）は、図６（Ａ）のＢ−Ｂ線における断面図である。図３に示した抗菌糸２と同じ構成については同じ符号を付し、説明を省略する。
【００４０】
抗菌糸２Ａは、圧電繊維１０とは太さの異なる圧電繊維１０Ａを備えている。この様に、一部に太さが異なる抗菌糸を備える場合も、複数の圧電繊維１０の間の空間の状態が一様ではなくなる。加えて、各圧電繊維１０に加わる張力も一定で無くなり、ずり応力の方向も一様ではなくなる。したがって、電位分布に偏りが生じて対称性が崩され、局所的に強い電場（比較例よりも強い電場）が形成されることになる。
【００４１】
また、抗菌糸２Ａは、長さ方向において径が一定である必要は無く、部分的に径が太くなる、もしくは細くなる場合であってもよい。図６（Ｂ）および図６（Ｃ）では、太さの異なる圧電繊維は１本であるが、複数本あってもよい。また、例えば圧電繊維１０Ａと表記したものは他の圧電繊維１０と材質の異なるものであってもよい。この場合圧電繊維１０Ａの圧電テンソルは他の圧電繊維１０と異なる。この場合、圧電繊維１０Ａは、圧電性を示さない場合も含む。この場合も電位分布に偏りが生じて対称性が崩され、局所的に強い電場（比較例よりも強い電場）が形成されることになる。このように電気的対称性を崩す要素を含んでいれば太さは等しくても構わない。
【００４２】
なお、一部に断面形状が異なる抗菌糸（例えば円形状の抗菌糸と、多角形状の抗菌糸と、）を備える場合も、複数の圧電繊維１０の間の空間の状態が一様ではなくなる。
【００４３】
なお、図６（Ａ）、図６（Ｂ）および図６（Ｃ）においては、Ｚ糸の抗菌糸２Ａを示したが、無論Ｓ糸の抗菌糸においても、一部に太さが異なる抗菌糸を備えるまたは一部に断面形状が異なる抗菌糸を備える場合、複数の圧電繊維１０の間の空間の状態が一様ではなくなるため、電位分布に偏りが生じて対称性が崩され、局所的に強い電場（比較例よりも強い電場）が形成されることになる。
【００４４】
図７（Ａ）は、変形例２に係る抗菌糸２Ｂの構成を示す一部分解図であり、図７（Ｂ）は、図７（Ａ）のＡ−Ａ線における断面図である。図７（Ｃ）は、図７（Ａ）のＢ−Ｂ線における断面図である。図３に示した抗菌糸２と同じ構成については同じ符号を付し、説明を省略する。
【００４５】
抗菌糸２Ｂは、複数の圧電繊維１０の間に、さらに誘電体１００を備える。なお、図７（Ｂ）および図７（Ｃ）の例では、誘電体１００は、圧電繊維１０を覆っているが、圧電繊維１０を全て覆うことは必須ではない。ただし、誘電体１００として難燃剤を用いて圧電繊維１０を覆うことで、車のシート、電車（汽車）のシート、バスのシート、劇場のシート、または病院（待合室）シート等の、公共性の高いシート（またはシートカバー）にもちいられる、難燃性の抗菌糸とすることができる。
【００４６】
難燃剤は、例えば、臭素化合物（例えばペンタブロモジフェニルエーテル、オクタブロモジフェニルエーテル、デカブロモジフェニルエーテル、テトラブロモビスフェノールＡ、ヘキサブロモシクロドデカン、ヘキサブロモベンゼン）が圧電繊維１０に塗布されてなる。あるいは、リン化合物（例えば芳香族リン酸エステル、ハロゲンを含むリン酸エステル）、塩素化合物（例えば塩素化パラフィン）、または、アンチモン化合物（例えば５酸化アンチモン）が圧電繊維１０の表面に塗布されてなる。難燃剤は、３酸化アンチモン、水酸化アルミニウム、水酸化マグネシウム、ハイドロキシアパタイト、メラミンシヌアレート、ベストボロン、ソウファ、タルク、またはシリカを母材に混錬してなるものであってもよい。
【００４７】
抗菌糸２Ｂは、図７（Ｂ）および図７（Ｃ）に示すように、複数の圧電繊維１０の間における誘電体１００の配置が一様ではない。誘電体１００の配置態様が一様ではないことにより、抗菌糸２Ｂでは、複数の圧電繊維１０の間の距離が一様でなくなるか、または複数の圧電繊維１０の間の距離が一様であったとしても、電気的特性に偏りが生じる。したがって、この場合も、複数の圧電繊維１０の空間の状態が一様ではなく、局所的に強い電場（比較例よりも強い電場）が形成されることになる。
【００４８】
なお、図７（Ａ）、図７（Ｂ）および図７（Ｃ）においては、Ｚ糸の抗菌糸２Ｂを示したが、無論Ｓ糸の抗菌糸においても、誘電体１００を備え、該誘電体１００の配置が一様でない場合、複数の圧電繊維１０の間の空間の状態が一様ではなくなるため、局所的に強い電場（比較例よりも強い電場）が形成されることになる。
【００４９】
なお、本実施形態の抗菌糸は、菌対策用途以外にも、以下の様な用途を有する。
【００５０】
（１）生体作用圧電糸
生体を構成する組織には圧電性を有するものが多い。例えば、人体を構成するコラーゲンは、タンパク質の一種であり、血管、真皮、じん帯、健、骨、または軟骨等に多く含まれている。コラーゲンは、圧電体であり、コラーゲンが配向した組織は非常に大きな圧電性を示す場合がある。骨の圧電性については既に多くの報告がなされている（例えば、深田栄一，生体高分子の圧電気、高分子Vol.16(1967)No.9 p795-800等を参照）。したがって、抗菌糸１または抗菌糸２を備えた抗菌糸により電場が生じ、該電場が交番するか、または該電場の強度が変化すると、生体の圧電体は、逆圧電効果によって振動を生じる。抗菌糸１または抗菌糸２によって生じる交番電場、あるいは電場強度の変化により、生体の一部、例えば毛細血管や真皮に微小な振動が加えられ、その部分の血流の改善を促すことができる。これにより皮膚疾患や傷等の治癒が促される可能性がある。したがって、抗菌糸は、生体作用圧電糸として機能する。
【００５１】
なお、複数の圧電糸と導電糸を用いて編物や織物にし、これに変位が加わった事をセンシングするトランスデューサーがＷＯ２０１５／１５９８３２に公開されている。この場合、導電糸はすべて検知回路に接続されており、一本の圧電糸に対して必ず対の導電糸が存在する。ＷＯ２０１５／１５９８３２では、圧電糸に電荷が発生した時、導電糸を電子が移動し、発生した電荷を即座に中和する。ＷＯ２０１５／１５９８３２では、この電子の移動による電流を検知回路が捉えて信号として出力する。従ってこの場合、発生した電位は即座にキャンセルされるので、圧電糸と導電糸との間、および圧電糸と圧電糸との間に強い電場が形成される事がなく、治癒効果は発揮されない。
【００５２】
（２）物質吸着用圧電糸
上述したように、抗菌糸１は、外力が係った場合に、負の電荷を生じる。抗菌糸２は、外力が係った場合に、正の電荷を生じる。そのため、抗菌糸１は、正の電荷を有する物質（例えば花粉等の粒子）を吸着する性質を有し、抗菌糸２は、負の電荷を有する物質（例えば黄砂等の有害物質等）を吸着する。したがって、抗菌糸１または抗菌糸２を備えた布は、例えばマスク等の医療用品に適用した場合に、花粉または黄砂等の微粒子を吸着することができる。
【００５３】
上述のように、複数の圧電糸と導電糸を用いて編物や織物にし、これに変位が加わった事をセンシングするトランスデューサーがＷＯ２０１５／１５９８３２に公開されている。この場合、導電糸はすべて検知回路に接続されており、一本の圧電糸に対して必ず対の導電糸が存在する。ＷＯ２０１５／１５９８３２では、圧電糸に電荷が発生した時、導電糸を電子が移動し、発生した電荷を即座に中和する。ＷＯ２０１５／１５９８３２では、この電子の移動による電流を検知回路が捉えて信号として出力する。従ってこの場合、発生した電位は即座にキャンセルされるので、圧電糸と導電糸との間、および圧電糸と圧電糸との間に強い電場が形成される事がなく、吸着効果は発揮されない。
【００５４】
なお、外部からのエネルギーにより電荷を発生する電荷発生繊維は、他にも例えば光電効果を有する物質、または焦電効果を有する物質（例えばＰＶＤＦ）、化学変化により電荷を生じる物質、等がある。また、芯糸に導電体を用いて、当該導電体に絶縁体を巻き、該導電体に電気を流して電荷を発生させる構成も、電荷を発生する繊維である。ただし、圧電体は、圧電により電場を生じさせるため、電源が不要であるし、感電のおそれもない。また、圧電体の寿命は、薬剤等による抗菌効果よりも長く持続する。また、薬剤よりもアレルギー反応が生じるおそれは低い。また、薬剤、特に抗生物質等による耐性菌の発現が近年大きな問題となっているが、本発明による殺菌方法ではメカニズム上、耐性菌を生じることが考えられない。
【００５５】
なお、表面に負の電荷を生じる糸としては、ＰＬＬＡを用いたＳ糸の他にも、ＰＤＬＡを用いたＺ糸も考えられる。また、表面に正の電荷を生じる糸としては、ＰＬＬＡを用いたＺ糸の他にも、ＰＤＬＡを用いたＳ糸も考えられる。
【００５６】
最後に、本実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５７】
１，２，２Ａ，２Ｂ…抗菌糸
１０，１０Ａ…圧電繊維
１００…誘電体
９００…延伸方向
９１０Ａ…第１対角線
９１０Ｂ…第２対角線
【図１】
2020073747.tif 000003
【図２】
2020073747.tif 000004
【図３】
2020073747.tif 000005
【図４】
2020073747.tif 000006
【図５】
2020073747.tif 000007
【図６】
2020073747.tif 000008
【図７】
2020073747.tif 000009